(57)【要約】【課題】簡単な構成で、落下時の衝撃などによるバネ部材の変位量を規制して、バネ部材の塑性変形を防止する。【解決手段】レンズ１１を保持するレンズホルダ１２と固定部材である上ケース１７Ａと下ケース１７Ｂとを板バネ１６Ａ，１６Ｂにて弾性支持する構成のレンズ駆動装置１０において、上記レンズホルダ１２の下側に下ケース１７Ｂ方向に突出する突起部１２ｍを設け、上記下ケース１７Ｂの上記突起部１２ｍに対向する位置に規制用の溝１７ｎを設けて、上記溝１７ｎの内壁１７ｐと溝底部１７ｑにて、上記突起部１２ｍの移動量（レンズホルダ１２の移動量）を規制するようにした。【選択図】図１
2008116620.tif 000002
【特許請求の範囲】
【請求項１】
レンズを保持するホルダと、このホルダの外側に配置された固定部材と、上記ホルダと上記固定部材とを、上記レンズの開口部側である上部側及び上記開口部側とは反対側の下部側にてそれぞれ連結するバネ部材とを備えたレンズ駆動装置において、上記ホルダの下側にレンズの開口部側とは反対側に突出する突起部を設けるとともに、上記固定部材の下側の上記突起部に対向する位置に、上記突起部の少なくともホルダ径方向の先端部を収納するとともに、上記突起部の移動量を規制する規制用の溝を設けたことを特徴とするレンズ駆動装置。
【請求項２】
レンズを保持するホルダと、このホルダの外側に配置された固定部材と、上記ホルダと上記固定部材とを、上記レンズの開口部側である上部側及び上記開口部側とは反対側の下部側にてそれぞれ連結するバネ部材とを備えたレンズ駆動装置において、上記固定部材の下部側にレンズの開口部側に突出する突起部を設けるとともに、上記ホルダの下側の上記突起部に対向する位置に、上記突起部の少なくともホルダ径方向の先端部を収納するとともに、上記突起部の移動量を規制する規制用の溝を設けたことを特徴とするレンズ駆動装置。
【請求項３】
上記突起部と上記規制用の溝のレンズ移動方向におけるオーバーラップ量を、上記ホルダのレンズ移動方向における最大移動量以上としたことを特徴とする請求項１または請求項２に記載のレンズ駆動装置。
【発明の詳細な説明】
【技術分野】
【０００１】
本発明は、カメラ等に用いられる、対物レンズを保持するレンズホルダを固定部材に弾性支持する板バネを備えたレンズ駆動装置に関するものである。
【背景技術】
【０００２】
近年、携帯電話等に搭載されるカメラは画素数が増大されるとともに、ズーム処理やマクロ処理等の高機能化が進んでいることから、搭載されるレンズ系についても、従来の固定焦点のものだけでなく、可動焦点のものも投入されてきている。この可動焦点のレンズ系の駆動方式としては、図４（ａ）に示すような、ボイスコイルモータを用いたレンズ駆動装置５０が多く用いられている（例えば、特許文献１参照）。
このレンズ駆動装置５０は、軟鉄等の磁性体から成るコの字型円筒形状ヨーク５１と、上記ヨーク５１の外壁に取付けられるリング状のマグネット５２と、中央位置にレンズ５３を保持するレンズホルダ５４と、このレンズホルダ５４に装着される駆動コイル５５と、上記ヨーク５１が装着されるベース５６と、上記ベース５６を支えるフレーム５７と、上記レンズホルダ５４を上下で支持する２個のバネ部材５８Ａ，５８Ｂと、このバネ部材５８Ａ，５８Ｂの上下を覆う２個のキャップ５９Ａ，５９Ｂとを備えている。
上記駆動コイル５５は、上記ヨーク５１と上記マグネット５２とにより印加される、コイル周りに放射状に分布する磁界中に設置されているので、上記駆動コイル５５に通電すると、図４（ｂ）に示すように、上記駆動コイル５５には、同図の矢印に示すような、被写体の方向(上方)へ向けたローレンツ力が発生して、上記レンズホルダ５４を上記バネ部材５８Ａ，５８Ｂの復元力と釣り合った位置に移動させることができる。したがって、上記駆動コイル５５に通電する電流値を制御することにより、上記レンズホルダ５４の移動量を制御して、上記レンズ５３の位置を制御することができる。
【特許文献１】特開２００４−２８００３１号公報
【発明の開示】
【発明が解決しようとする課題】
【０００３】
ところで、上記レンズ駆動装置５０に落下等の衝撃力が加わると、この衝撃力によりレンズホルダ５４が偏心して横方向にずれて、固定部材であるフレーム５７やベース５６に衝突し、この衝突の衝撃によりレンズホルダ５４が回転したり横方向に移動したりする。レンズホルダ５４が回転したり横方向に移動した場合、上記バネ部材５８Ａ，５８Ｂに圧縮応力や捩れを引き起こす応力が加わるため、上記バネ部材５８Ａ，５８Ｂの腕部に座屈が生じて、塑性変形してしまう場合がある。その結果、上記バネ部材５８Ａ，５８Ｂの特性が劣化してしまい、レンズ駆動装置５０の耐久性が低下してしまうといった問題点があった。
【０００４】
本発明は、従来の問題点に鑑みてなされたもので、簡単な構成で、落下時の衝撃などによるバネ部材の変位量を規制して、バネ部材の塑性変形を防止することを目的とする。
【課題を解決するための手段】
【０００５】
本発明の請求項１に記載の発明は、レンズを保持するホルダと、このホルダの外側に配置された固定部材と、上記ホルダと上記固定部材とを、上記レンズの開口部側である上部側及び上記開口部側とは反対側の下部側にてそれぞれ連結するバネ部材とを備えたレンズ駆動装置において、上記ホルダの下側にレンズの開口部側とは反対側に突出する突起部を設けるとともに、上記固定部材の下側の上記突起部に対向する位置に、上記突起部の少なくともホルダ径方向の先端部を収納するとともに、上記突起部の移動量を規制する規制用の溝を設けたことを特徴とするものである。
また、請求項２に記載の発明は、固定部材側に突起部を設け、ホルダ側に規制用の溝を設けたものである。
請求項３に記載の発明は、請求項１または請求項２に記載のレンズ駆動装置において、上記突起部と上記規制用の溝のレンズ移動方向におけるオーバーラップ量を、上記ホルダのレンズ移動方向における最大移動量以上としたものである。
【発明の効果】
【０００６】
本発明によれば、レンズを保持するホルダと、このホルダの外側に配置された固定部材と、上記ホルダと上記固定部材とをその上部側と下部側にてそれぞれ連結するバネ部材とを備えたレンズ駆動装置において、上記ホルダの下側にレンズの開口部側とは反対側に突出する突起部を設けるとともに、上記固定部材の下側の上記突起部に対向する位置に、上記突起部の少なくともホルダ径方向の先端部を収納するとともに、上記突起部の移動量を規制する規制用の溝を設けたので、簡単な構成で、落下などの衝撃によるホルダの回転や横方向移動を規制することができる。したがって、ホルダの回転や横方向移動に伴うバネ部材の塑性変形を防止することができ、装置の耐久性を向上させることができる。
このとき、上記突起部と上記規制用の溝のレンズ移動方向におけるオーバーラップ量を、上記ホルダのレンズ移動方向における最大移動量以上としておけば、レンズの位置に関わらず、ホルダの回転や横方向移動を確実に規制することができる。
なお、上記固定部材側に突起部を設け、上記ホルダ側に規制用の溝を設けても、同様の効果を得ることができる。
【発明を実施するための最良の形態】
【０００７】
以下、本発明の最良の形態について、図面に基づき説明する。
図１（ａ），（ｂ）は、本発明の最良の形態に係るレンズ駆動装置１０の構成を示す模式図で、図２はレンズホルダ１２とケーシングの組付け前の状態を示す図である。各図において、１１はレンズ、１２はこのレンズ１１を保持するレンズホルダ、１３は上記レンズホルダに装着される環状の駆動用コイル、１４は上記駆動コイル１３に放射状に分布する磁界を印加するためのマグネット、１５はヨーク、１６Ａ，１６Ｂは上記レンズホルダ１２を固定部材である上ケース１７Ａと下ケース１７Ｂとに弾性支持する板バネである。また、符号１８は、上記マグネット１４及びヨーク１５の外周側を覆う外ケース１７Ｃと上記下ケース１７Ｂとを一体に構成したケーシングである。
本例では、図１及び図２に示すように、レンズホルダ１２の下側に下ケース１７Ｂ方向に突出する突起部１２ｍを設けるとともに、下ケース１７Ｂの上記突起部１２ｍに対向する位置に規制用の溝１７ｎを設けて、上記レンズホルダ１２の回転や径方向の移動、あるいは、回転と径方向の移動の両方を伴い移動を規制するようにしている。
【０００８】
上記規制用の溝１７ｎは、詳細には、その溝幅Ｗが上記突起部１２ｍの溝幅ｗよりも広く、かつ、上記溝１７ｎの深さ（ホルダ径方向の長さ）Ｄが少なくとも上記突起部１２ｍのホルダ径方向の先端部、好ましくは上記突起部１２ｍの厚み（ホルダ径方向の幅）ｄの半分以上が十分に収納されるような寸法に形成する。
また、上記突起部１２ｍと上記規制用の溝１７ｎのレンズ移動方向の長さについてはスペースの関係で適宜決定されるが、レンズの位置に関わらず、ホルダの回転や横方向移動を確実に規制するためには、上記突起部１２ｍと上記規制用の溝１７ｎのレンズ移動方向のオーバーラップ量Ｓを、上記レンズホルダ１２のレンズ移動方向における最大移動量以上となるように設定することが好ましい。
このように、上記突起部１２ｍは、上記規制用の溝１７ｎに対して、ホルダ径方向及びホルダ周方向にそれぞれ所定の隙間を保ちながら、少なくともホルダ径方の先端部が上記規制用の溝１７ｎ内に収納されるので、落下時の衝撃などにより、上記レンズホルダ１２が回転した場合には、上記突起部１２ｍの側面１２ｐが上記規制用の溝１７ｎの内壁１７ｐに当たって上記回転が阻止されるので、板バネ１６Ａ，１６Ｂの変形量を抑制することができ、上記板バネ１６Ａ，１６Ｂの塑性変形を防止することができる。
一方、上記レンズホルダ１２が径方向に移動した場合には、上記突起部１２ｍの前面１２ｑが上記規制用の溝１７ｎの溝底部１７ｑに当たって上記径方向の移動が阻止されるので、板バネ１６Ａ，１６Ｂの変形量を規制することができる。
【０００９】
このように、本最良の形態によれば、レンズ１１を保持するレンズホルダ１２と固定部材である上ケース１７Ａと下ケース１７Ｂとを板バネ１６Ａ，１６Ｂにて弾性支持する構成のレンズ駆動装置１０において、上記レンズホルダ１２の下側に下ケース１７Ｂ方向に突出する突起部１２ｍを設け、上記下ケース１７Ｂの上記突起部１２ｍに対向する位置に規制用の溝１７ｎを設けて、上記溝１７ｎの内壁１７ｐと溝底部１７ｑにて、上記突起部１２ｍの移動量（レンズホルダ１２の移動量）を規制するようにしたので、板バネ１６Ａ，１６Ｂの変形量を抑制することができ、上記板バネ１６Ａ，１６Ｂの塑性変形を防止することができる。
また、上記突起部１２ｍと上記規制用の溝１７ｎのレンズ移動方向のオーバーラップ量Ｓを、上記レンズホルダ１２のレンズ移動方向における最大移動量以上となるように設定したので、レンズの位置に関わらず、ホルダの回転や横方向移動を確実に規制することができる。
【００１０】
なお、上記最良の形態では、レンズホルダ１２側に突起部１２ｍを設け下ケース１７Ｂ側に規制用の溝１７ｎを設けたが、図３に示すように、レンズホルダ１２側に規制用の溝１２ｎを設け下ケース１７Ｂに突起部１７ｍを設けても同様の効果を得ることができる。
また、上記例では、突起部１２ｍと規制用の溝１７ｎとを３箇所設けたが、これに限るものではなく、３箇所以上設けてあればよい。なお、突起部１２ｍと規制用の溝１７ｎとは１箇所あるいは２箇所であってもある程度の効果はあるが、この場合には、突起部１２ｍが規制用の溝１７ｎに当たったときに、上記突起部１２ｍもしくは規制用の溝１７ｎを支点として光軸（または、レンズホルダ１２の中心軸）が傾いたり、横方向移動を確実に規制できない恐れがあるので、本例のように、突起部１２ｍと規制用の溝１７ｎとを３箇所以上設けることが好ましい。また、突起部１２ｍと規制用の溝１７ｎはレンズホルダ１２の中心に対して対称に配置することが好ましい。
【産業上の利用可能性】
【００１１】
以上説明したように、本発明によれば、バネ部材の塑性変形を確実に防止することができるので、レンズ駆動装置の耐久性を向上させることができる。
【図面の簡単な説明】
【００１２】
【図１】本発明の最良の形態に係るレンズ駆動装置の構成を示す模式図である。
【図２】レンズホルダとケーシングの組付け前の状態を示す図である。
【図３】本発明によるレンズ駆動装置の他の構成を示す図である。
【図４】従来のレンズ駆動装置の構成を示す図である。
【符号の説明】
【００１３】
１０  レンズ駆動装置、１１  レンズ、１２  レンズホルダ、１２ｍ  突起部、
１３  駆動用コイル、１４  マグネット、１５  ヨーク、１６Ａ，１６Ｂ  板バネ、
１７Ａ  上ケース、１７Ｂ  下ケース、１７Ｃ  外ケース、１７ｎ  規制用の溝、
１８  ケーシング。
【図１】
2008116620.tif 000003
【図２】
2008116620.tif 000004
【図３】
2008116620.tif 000005
【図４】
2008116620.tif 000006